(57)【要約】【課題】幸運な入賞への期待を維持しながら球噛みを原因とする遊技中断の頻度を著しく低下することができる入賞装置を提供すること。【解決手段】  プランジャ８の前方において盤面１０に平行かつ水平な方向に延びる回動自在のシャフト４１と、シャフト４１に一端を固定されて入賞口１１の上方に向かって延びるハンマー４であって、スライダ３によって常時支持されており、スライダ３の後退によって頭部が入賞空間１２から上方に抜け、スライダ３の前進によって頭部が入賞空間１２内に進入するハンマー４とをさらに備えた入賞装置１である。【選択図】        図１
2015211716.tif 000002
【特許請求の範囲】
【請求項１】
盤面に開けられた入賞口に連絡する入賞空間内を通って入賞口を出入りする球受け部材と、
前記球受け部材の上方に配置され前後方向に進退するスライダと、
前記スライダから後方に配置されるプランジャと、
プランジャの前進をスライダの前進及び球受け部材の入賞口からの後退に、プランジャの後退をスライダの後退及び球受け部材の入賞口からのせり出しにそれぞれ関連づけるリンク機構と、を備えた入賞装置であって、
プランジャの前方において盤面に平行に延びるシャフトと、
シャフトに一端を固定されて回動自在となっており、入賞口の上方に向かって延びるハンマーであって、スライダによって支持されており、スライダの後退によって頭部が入賞空間から上方に抜け、スライダの前進によって頭部が入賞空間内に進入するハンマーとを備えた入賞装置。
【請求項２】
スライダには、入賞口に向かう方向に沿って上り傾斜面と水平面とを有するガイドが形成されており、
ハンマーの頭部付近には、ハンマーの高さ位置を決めるレベルバーが挿入固定されて、レベルバーの端部が傾斜面又は水平面上に乗っており、
レベルバーは、スライダが前に位置するときは形成された傾斜面に接触しており、スライダの後退に伴って傾斜面を上がり水平面を進む一方、スライダの前進に伴って水平面を戻り傾斜面を下る請求項１に記載の入賞装置。
【請求項３】
ハンマーの頭部は、入賞空間内に進入した状態で上方に遊びがあることを特徴とする請求項１又は請求項２に記載の入賞装置。
【請求項４】
スライダを収容する空間と球受け部材を収容する空間とは、ハンマーが上下動する部分を除いて仕切り板によって区画されていることを特徴とする請求項１乃至請求項３のいずれか一項に記載の入賞装置。
【発明の詳細な説明】
【技術分野】
【０００１】
本発明は、弾球遊技機に設けられた入賞装置に関し、特に、進退式入賞装置に関する。
【背景技術】
【０００２】
弾性遊技機に設けられた入賞装置には、電動チューリップと俗称される一対の羽根部材を開閉させるもののほか、近年は進退式入賞装置と呼ばれるものが多く採用されている。
【０００３】
進退式入賞装置は、遊技盤面に開けられた入賞口を舌状部材が出入りする構造を有している（例えば、特許文献１を参照）。この舌状部材は、通常時は入賞口内に引っ込んでいるが一定の条件を満たすとき一定の期間入賞口から飛び出して球を受け止め入賞口内の検出部に誘導する役割を果たしている。
【０００４】
従来上記のような進退式入賞装置においては、後退し始めた舌状部材の上に遊技盤面上方から落差を利用して滑り込む様に球が入ってきた場合等に、しばしば入賞口上部のへりと舌状部材との間に球が引っ掛かった状態（球噛み）となり、その都度遊技は中断され、ホール担当者を呼んで遊技盤前面の扉を開いて手動で球を入賞口内に押し込んでもらう必要が生じ、遊技者の遊技に対する興ざめをもたらすという問題がある。これに対処するため、入賞口の開口を大きくすることも考えられるが、単に開口を大きくしただけでは、舌状部材が引いている状態でも球が入ってきてしまう懸念がある。
【０００５】
以上のような球噛みを防止するために、舌状部材の先端を左下がり形状にして、舌状部材の後退を開始するのと同時に舌状部材の上方にある庇部がせり出すことで入賞を阻止する役物装置が提案されている（特許文献２）。しかしこの役物装置は、球噛みの防止には一定の効果をもたらすものの、舌状部材が後退する際に上方から滑り込む様に入ってくる球を救済せず一切拒絶することを前提とした、いわば幸運な入賞の可能性を排する設計であるので、遊技者にとって興趣に欠ける面がある。
【先行技術文献】
【特許文献】
【０００６】
【特許文献１】特開２００９−１９５６３７号公報
【特許文献２】特開２０１３−１８８６２１号公報
【発明の開示】
【発明が解決しようとする課題】
【０００７】
本発明は、上記現状に鑑み、幸運な入賞への期待を維持しながら球噛みを原因とする遊技中断の頻度を著しく低下することができる入賞装置を提供することを目的とする。
【課題を解決するための手段】
【０００８】
本発明は、盤面に開けられた入賞口に連絡する入賞空間内を通って入賞口を出入りする球受け部材と、前記球受け部材の上方に配置され前後方向に進退するスライダと、前記スライダから後方に配置されるプランジャと、プランジャの前進をスライダの前進及び球受け部材の入賞口からの後退に、プランジャの後退をスライダの後退及び球受け部材の入賞口からのせり出しにそれぞれ関連づけるリンク機構と、を備えた入賞装置である。
【０００９】
プランジャの前方において盤面に平行に延びるシャフトと、シャフトに一端を固定されて回動自在となっており、入賞口の上方に向かって延びるハンマーであって、スライダによって支持されており、スライダの後退によって頭部が入賞空間から上方に抜け、スライダの前進によって頭部が入賞空間内に進入するハンマーとを備えた入賞装置である。
【００１０】
本構成により、プランジャの後退によってスライダが後退しリンク機構を介して球受け部材が入賞口からせり出していくとともにシャフトを回動中心としてハンマーの頭部が入賞空間から上方に抜け、入賞口の開口が球の取り込みに最大限に活用される一方、プランジャの前進によってスライダが前進しリンク機構を介して球受け部材が入賞口へ入り込んでいく際には、シャフトを回動中心としてハンマーの頭部が入賞空間内に進入し、盤面上方から滑り込む様に入ってきた球をたたき落とすか、あるいは、押し込んで入賞させ、やがて球受け部材が入賞口内に入り込んだ状態では、ハンマーの頭部が入賞口からの球の進入を阻止する役割を果たす。
【００１１】
上記入賞装置において、スライダの内側には、入賞口に向かう方向に沿って上り傾斜面と水平面とを有するガイドが形成されており、ハンマーの首部付近には、ハンマーの高さ位置を決めるレベルバーが挿入固定されて、レベルバーの端部が上り傾斜面又は水平面上に乗っており、レベルバーは、スライダが最も前に位置するときは形成された上り傾斜面の途中に接触しており、スライダの後退に伴って傾斜面を上がり水平面を進む一方、スライダの前進に伴って水平面を戻り傾斜面を下るように構成されていることが好ましい。
【００１２】
本構成により、スライダが後退を始めると同時にレベルバーが傾斜面を上がるので、ハンマーの頭部も直ちに持ち上がり、レベルバーが水平面に達するとハンマーの頭部も水平面の高さに対応する高さで維持される一方、スライダの前進時には、レベルバーが暫く水平面上を戻ることとなり、その間はハンマーの頭部が高く保たれる。スライダが前進を始めるタイミングと球受け部材が後退を始めるタイミングとは同期している。結果として、球受け部材が後退を始めるタイミングに比べてハンマーの入賞口上方からの進入のタイミングを遅くすることができる。したがって、球受け部材が後退する際に入賞口から滑り込む様に入ってきた球が、球受け部材と入賞口近傍の天井との間や球受け部材とハンマーの頭部前面との間に挟まる虞がなくなり、より確実に球噛みを防止することができる。
【００１３】
上記入賞装置において、ハンマーの頭部は、入賞空間内に進入した状態で上方に遊びがあることが好ましい。本構成により、球受け部材の後退時に、球受け部材とハンマーの頭部との間に球が挟まったとしても、球受け部材の後退する力が球を介してハンマーに伝達し、ハンマーの頭部が遊びによって、そのまま上方に持ち上がるので、球噛みの可能性を更に低減することができる。
【００１４】
上記入賞装置において、スライダを収容する空間と球受け部材を収容する空間とは、ハンマーが上下動する部分を除いて仕切り板によって区画されていることが好ましい。本構成により、球受け部材が入賞口へ入り込む際に、スライダの前進する動きが球に作用することがなくなるので、スライダと球受け部材との間に球が挟まれることが回避される。
【発明の効果】
【００１５】
本発明によれば、球受け部材が入賞口からせり出した状態では、入賞口の開口が球の取り込みに最大限に活用される一方、球受け部材が入り込んでいく際に、時を得て入賞口内に入ってきた球をハンマーが上からたたき落とし入賞させ、やがて球受け部材が入賞口内に完全に入り込んだ状態ではハンマーの頭部が入賞口を閉鎖し、入賞口からの球の進入を阻止する入賞装置を得ることができる。
【図面の簡単な説明】
【００１６】
【図１】本発明に係る実施形態の入賞装置１の斜視図である。
【図２】本発明に係る実施形態の入賞装置１の正面図である。
【図３】図２のＡ−Ａ断面図（閉じた場合）である。
【図４】図２のＡ−Ａ断面図（開いた場合）である。
【図５】各部材のリンク機構との係合関係を示す斜視図である。
【図６】図２及び図５のＢ−Ｂ断面図である。
【図７】本発明に係る実施形態に使用される球受け部材及び直動補助具の斜視図である。
【図８】本発明に係る実施形態に使用されるリンク機構の斜視図である。
【発明を実施するための形態】
【００１７】
本発明に係る実施形態の入賞装置１は、図１乃至図４に示す通り、ソレノイド２、スライダ３及びハンマー４、球受け部材５、直動補助具７、並びに、プランジャ８及びリンク機構９を、ソレノイド収納部６１、ハンマー収納部６２、球受け部材収納部６３、直動補助具収納部６４、及び、これら収納部の各々と連絡する連絡空間６５に区画された筐体６内に、それぞれ、収容している。
【００１８】
入賞装置１は、盤面１０に開けられた入賞口１１に連絡する入賞空間内を通って入賞口１１を出入りする球受け部材５と、球受け部材５の上方に球の直径を上回る間隔を開けてスライドプレート３１が設けられたスライダ３と、スライダ３における入賞口１１から遠い側に連結され盤面１０に垂直かつ水平な方向に沿って前進及び後退するプランジャ８と、プランジャ８の前進をスライダ３の前進及び球受け部材５の入賞口１１からの後退に、プランジャ８の後退をスライダ３の後退及び球受け部材の入賞口１１からのせり出しにそれぞれ関連づけるリンク機構９と、を備えている。
【００１９】
この入賞装置１は、プランジャ８の前方において盤面１０に平行かつ水平な方向に延びる回動自在のシャフト４１と、シャフト４１に一端を固定されて入賞口１１の上方に向かって延びるハンマー４であって、スライダ３によって常時支持されており、スライダ３の後退によって頭部が入賞空間から上方に抜け、スライダ３の前進によって頭部が入賞空間１２内に進入するハンマー４とをさらに備えている。スライダ３の後退に伴って、ハンマ４のレベルバー４３は、傾斜面３８を上がり水平面３７を進む一方、スライダ３の前進に伴って、水平面３７を戻り傾斜面３８を下る。以下、各部を詳細に説明する。
【００２０】
ソレノイド２は、パチンコ部品の駆動に一般的に用いられる公知の部材であり、詳細は省くが、ソレノイド収納部６１内で金属枠１７によって上下面を除く四面を覆われている。金属枠１７には、連絡空間６５に面する側においてプランジャ８を受け入れ可能なように貫通孔１８が開けられている。金属枠１７は、図示しない制御基板及びＬＥＤ基板等、並びに、電子基板への磁場の影響を減じるとともに、ソレノイド収納部６１内でソレノイド２を位置決めしている。
【００２１】
スライダ３は、図５に示す通り、ハンマー収納部６２の壁面に沿って擦れ合いながら動く一対のスライドプレート３１同士を上端部で連結部材３３によって連結したものであり、平面視で概ねＨ字形状を有する。スライドプレート３１の内側面後端には、図５及び図６に示す通り、突起３５が形成され、内側面前端から後方中央付近に向かって（プランジャ８に向かう方向に沿って）、水平面３７と下り傾斜面３８とを有するガイド３６が形成されている。
【００２２】
ハンマー４は、図１及び図２に示す通り、一対のスライドプレート３１間において、一端はシャフト４１に固定されて、他端はハンマー収納部６２の開口端面７１に向かって軸方向に延び出す板材である。シャフト４１は、プランジャ８の前方においてハンマー４の後部付近で盤面１０に平行かつ水平な方向に回動軸を向けて仕切り板１３の上方に突出する板材に回動可能に支承されている。ハンマー４は、スライダ３とリンク機構９を介して、プランジャ８の前後運動に連動する。ハンマー４の前部にある頭部は、シャフト４１の正逆回動によって入賞空間１２を出入りする。図３に示す通り、入賞空間１２内に完全に進入した状態でも上方に遊び空間があり、上方に遊動が可能である。
【００２３】
ハンマー４の中間領域付近には、さらに、ハンマー４の高さ位置を決めるレベルバー４３がハンマー４の主面に直交し、盤面１０に平行かつ水平に挿入固定されており、このレベルバー４３の左右端部がスライダ３に形成されたガイド３６の水平面３７又は下り傾斜面３８のいずれかに乗っていることで、ハンマー４は、その頭部が入賞空間１２内に進入した状態又は入賞空間１２から上方に抜けた状態のいずれにおいてもスライダ３によって常時支持されている。図３に示す通り、ガイド３６の水平面３７又は下り傾斜面３８に載置されたレベルバー４３上端とハンマー収納部６２の天井７２との間には所定の間隔（アローワンス）が確保されており、図４に示す通り、ハンマー４の頭部は、入賞空間１２内に進入した状態でも上方に遊びをもたせてある。
【００２４】
球受け部材５は、図７に示す通り、球受け部材収納部６３の内寸に合わせて船囲いのような形状に加工されており、前方舳先５１には平面視でＶ字状に平縁５２が形成され、後方に向かうにつれて急斜面５３、緩斜面５４が合計で球受け部材５の全長の５分の１程度の長さまで形成され、それより後方は底が抜けており、開口５６となっている。左右のへり５５は内側に向けて４５度傾斜している。このように構成することで、斜め上から入ってきた球が左右のへり５５に当たればそのまま入賞空間１２に流れこみ、また平縁５２付近に当たっても急斜面５３側に転がれば入賞空間１２に導かれるため、球の当たり具合による幸運な入賞の可能性を排しない設計となっている。
【００２５】
筐体６は、ソレノイド収納部６１、ハンマー収納部６２、球受け部材収納部６３、直動補助具収納部６４、及び、これら収納部６１，６２，６３，６４の各々と連絡する連絡空間６５に区画されている。ソレノイド収納部６１と球受け部材収納部６３と直動補助具収納部６４は一体となっているが、ハンマー収納部６２は別体として構成され、これらは、締結部６６、６７で連結可能となっている。ハンマー収納部６２及び球受け部材収納部６３において連絡空間６５に面する側と反対側の面（前方面）は、図１に示す通り、開口端面７１、７３となっており、球受け部材収納部６３の開口端面は、遊技盤面１０に露出する。図１に示す通り、ハンマー収納部６２の底面から一対の球誘導板６８が下方に延び出している。一対の球誘導板６８の間の空間から遊技球が開口５６を経て入球可能となっている。球誘導板６８に挟まれた領域の中央の奥側には傾斜面を備えた三角形状の球誘導板６９が設けてある。
【００２６】
球受け部材収納部６３は、球受け部材５を収容するとともに盤面１０に開けられた入賞口１１に連絡する入賞空間１２を画定している。また、球受け部材収納部６３は、球受け部材５が完全に収容された状態で、開口端面７３から奥行き半分の距離まで球受け部材５が露出するように切り欠いてある。ハンマー収納部６２と球受け部材収納部６３との間は、ハンマー４が上下動する部分を除いて仕切り板１３によって区画されている。球受け部材収納部６３及び直動補助具収納部６４の天井部中央には、軸方向に沿って、盤面１０と平行の縦断面で切断するとＴ字形状となるレール１５が形成され、中央部から下凸部が球受け部材収納部６３及び直動補助具収納部６４において、下方に突出している。
【００２７】
なお、以下、位置関係を示す意味において「前」という字句は、開口端面７１，７３に近い側を意味し、「後」という字句は、開口端面７１，７３から遠い側、「上」という字句は、球受け部材収納部６３に対してハンマー収納部６２側、「下」という字句は、ハンマー収納部６２に対して球受け部材収納部６３側の意味で用いる。
【００２８】
直動補助具７は、図７に示す通り、概ね直方体の中実形状を有し、球受け部材５とくびれ部７４において連結され一体成形されており、レール１５が嵌合する前後方向に沿って凹部７５が形成されており、これにより、直動補助具収納部６４内を前後方向に擦れ合いながら動くことが可能となっている。直動補助具７が球受け部材５と一体化されていることにより、球受け部材５の安定的な前後方向への運動が実現されるとともに、球受け部材５の先端で球を受けた衝撃は、直動補助具７に伝わり、該直動補助具７を介して筐体６全体で吸収することができる。
【００２９】
プランジャ８は、その基端部がソレノイド２の中空部に挿入されており、概ね円柱状で先端部には庇状のフランジ２１を有しており、図４に示す通り、入賞装置１が開いた状態では、長さの半分近くは貫通孔１８を通ってソレノイド２内に入っている。フランジ２１と金属枠１７との間にはばね２３が介在し、プランジャ８の外周に巻き回されており、図３の自然長の状態において、プランジャ８を連絡空間６５内に収容している。
【００３０】
リンク機構９は、図５、図８に示す通り、連絡空間６５に収容されてスライダ３、球受け部材５、直動補助具７及びプランジャ８を関係づける一体成形された１つの部材である。図８に示す通り、上部片８１と下部に配置される下部片９１とで構成される。上部片８１は、スライダプレート３１の内側面後端に形成された突起３５を挟む溝が形成された２本指８２を備えた一対の手８３を下端で連結部８４によって連結したものとなっている。手８３の内側面（掌部）における２本指８２の根元付近からは、把持用突起８５が軸方向と直交する方向の内側に突出形成される。把持用突起８５と連結部８４との間の空間には、上方からプランジャ８のフランジ２１が挟み込まれることで装着される。手８３の外側面（甲部）からはリンク軸８６が軸方向と直交する方向の外側に突出形成され、リンク軸８６は、連絡空間６５を画する筐体６左右壁面に開けられた孔７７に挿入されて回動可能に支持されている（図１参照）。  
【００３１】
一方、下部片９１は、一端は上部片８１の甲のリンク軸８６よりやや下の部分と一体化しており、そこを起点としてブーメラン状に肘を後方に向けるように屈曲し、先端は、内側面に軸方向と直交する方向の内側に突起９２が形成され、該突起９２は直動補助具７のくびれ部７４に上方から挿入されている。以上のように、リンク機構９は、上部片８１の２本指８２と、把持用突起８５と、下部片９１の突起９２とによって、スライダ３及びプランジャ８と球受け部材５及び直動補助具７とを連結しており、プランジャ８の前進及び後退動作を、リンク軸８６を支軸とした揺動的な回動運動によって、スライダ３の上下方向に揺動的な回動運動、及び、球受け部材５及び直動補助具７の後退及び前進動作にそれぞれ変換する役割を果たす。
【００３２】
以上の構成に基づく機能及び作用について以下に説明する。
まず、ソレノイド２が励磁されていない状態では、図３に示す通り、入賞装置１は閉じた状態で、フランジ２１と金属枠１７との間に介在するばね２３が自然長の状態である。プランジャ８とリンク機構９の上部片を介して連結したスライダ３の前端、及び、プランジャ８とリンク機構９の下部片を介して連結した球受け部材５の前端はともに開口端面７１、７３に位置する。このとき、レベルバー４３はガイド３６の下り傾斜面３８の後部下端に位置し接触しており、ハンマー４の頭部は、入賞空間１２内に進入した状態となっている。この状態では、入賞口１１内に入ってきた球は、球受け部材５の前面、ハンマー４の頭部前面、球誘導板６８等によってはじかれ、入球しない。
【００３３】
次に、図示しない制御機器からの信号を受けてソレノイド２に電圧が印加されると、図４に示す通り、プランジャ８がソレノイド２内に後退する。これを受けて、リンク機構９の上部片８１はリンク軸８６を支軸として後方に回動するとともに、スライダ３の突起３５は後方に引っ張られ、相対的に、レベルバー４３は傾斜面３８に沿って上昇を始め、シャフト４１を中心として、ハンマー４の頭部が回動する。レベルバー４３の上昇は、ハンマー４の頭部を上に持ち上げる力となる。これと同時に、リンク機構９の下部片９１はリンク軸８６を支軸として前方に回動し、この力を受けて球受け部材５は入賞空間１２内の下方を前進し、開口端面７３から前進し入賞口１１を通過し、遊技盤面１０に露出する。
【００３４】
プランジャ８がソレノイド２内に入り込むにつれて、ばね２３の復元力が次第に大きくなり、プランジャ８の後退速度は減速しやがて静止する。この間にレベルバー４３は傾斜面３８を越えて水平面３７まで進んでいるので、ハンマー４の頭部は、入賞空間１２から上に抜けきった状態で、それ以上スライダ３が後退してもハンマー４の頭部の高さはその位置で保持される。また、この間に球受け部材５の前進速度も減速しやがて止まり、入賞口１１から一定程度せり出した状態で遊技盤面１０の上方から流下してくる球を受け付け、球受け部材５の先端で受け急斜面５３及び緩斜面５４に当たった球、あるいは、球誘導板６８と球受け部材５とハンマー収納部６１の前壁面で形成された空間に直接的に飛び込んでくる球を、入賞空間１２内に受け入れる。
【００３５】
次に、入賞状態が終了した信号を受けてソレノイド２への電圧供給が停止すると、ソレノイド２が消磁し、電磁誘導による吸引力がゼロになるので、ばね２３の復元力によってプランジャ８が前進する。これを受けて、リンク機構９の上部片８１はリンク軸８６を支軸として前方に回動するとともに、スライダ３の後端も前方に押されるが、レベルバー４３は直ちに傾斜面３８を下るのではなく、暫くは水平面３７にあり、ハンマー４の頭部高さも維持されている。一方、リンク機構９の下部片９１は、プランジャ８の前進力を受けてリンク軸８６を支軸として後方に回動するので、球受け部材５は開口端面７３に向かって直ちに後退し始める。このように、球受け部材５が後退をし始めた段階では、ハンマー４の頭部は未だ入賞空間１２に進入していないことから、時を得て入賞口１１内に入ってきた球をそのまま受け入れることになる。
【００３６】
やがて、ばね２３が自然長に近づくと、プランジャ８に作用する復元力は徐々に小さくなり、プランジャ８は前進しながら減速していく。この段階では、レベルバー４３は下り傾斜面３８に沿って降下しはじめ、ハンマー４の頭部も下降し、入賞空間１２に進入する。
【００３７】
そして最終的に、ばね２３が自然長になると、最初の状態に戻り、入賞装置１は閉じた状態となる。
【００３８】
入賞装置１によれば、球受け部材５の先端は既に開口端面７３付近にあるが、この状態で時を得て入賞口１１内に滑り込んできた球もハンマー４が上からたたき落とし入賞させることになる。そのため、球噛みが防止できる。ハンマー４がさらに下降すると、今度は、球を弾き返すので、これまた、球噛みが防止できる。
【００３９】
入賞装置１によれば、ハンマー４の頭部は、入賞空間１２内に進入した状態で上方に遊びがあるので、球受け部材５の後退時に、球受け部材５とハンマー４の頭部との間に球が挟まったとしても、球受け部材５の後退する力が球を介してハンマー４に伝達し、ハンマー４の頭部が遊びによって、そのまま上方に持ち上がるので、球噛みの可能性を更に低減することができる。
【００４０】
入賞装置１によれば、スライダ３を収容するハンマー収納部６２と球受け部材５を収容する球受け部材収納部６３とは、ハンマー４が上下動する部分を除いて仕切り板１３によって区画されているので、球受け部材５が入賞口１２へ入り込む際に、スライダ３の前進する動きが球に作用することがなくなるので、スライダ３と球受け部材５との間に球が挟まれることが回避できる。
【００４１】
なお、本発明は、上述の実施の形態に限定されるものではなく、本発明の技術的思想を逸脱しない範囲において、改変等を加えることが出来、それらの改変、均等物等も本発明の技術的範囲に含まれる。
【００４２】
例えば、上記実施形態では、スライダ３に設けたガイド３６によってハンマー４を支持することとしたが、これに代えてスライダ３とハンマー４とをばねによって連結一体化することでハンマー４を吊り下げ支持してもよい。またシャフト４１は、仕切り板１３に支承することでプランジャ８の前後運動に連動しないものとしたが、これに限定されず、シャフト４１が上下方向に変位しつつ回動する機構を設けてハンマー４の頭部を昇降させてもよい。
【符号の説明】
【００４３】
１  入賞装置
２  ソレノイド
３  スライダ
４  ハンマー
５  球受け部材
６  筐体
７  直動補助具
８  プランジャ
９  リンク機構
１０  遊技盤面
１１  入賞口
１２  入賞空間
１３  仕切り板
１５  レール
１７  金属枠
１８  貫通孔
２１  フランジ
２３  ばね
３１  スライドプレート
３３  連結部材
３５  突起
３６  ガイド
３７  水平面
３８  傾斜面
４１  シャフト
４３  レベルバー
５１  前方舳先
５２  平縁
５３  急斜面
５４  緩斜面
５５  へり
５６  開口
６１  ソレノイド収納部
６２  ハンマー収納部
６３  球受け部材収納部
６４  直動補助具収納部
６５  連絡空間
７１、７３  開口端面
７２  天井
７４  くびれ部
７５  凹部
７７  孔
８１  上部片
８２  ２本指
８３  手
８４  連結部
８５  把持用突起
８６  リンク軸
９１  下部片
９２  突起
【図１】
2015211716.tif 000003
【図２】
2015211716.tif 000004
【図３】
2015211716.tif 000005
【図４】
2015211716.tif 000006
【図５】
2015211716.tif 000007
【図６】
2015211716.tif 000008
【図７】
2015211716.tif 000009
【図８】
2015211716.tif 000010